(57)【要約】【課題】複雑な機構がなくとも水に空気を通過させることのできる脱臭装置を提供する。【解決手段】吸込口３と吹出口４を設けた本体２と、前記本体内には、前記吸込口３と吹出口４を連通する空気風路５と、空気風路５へ空気を流す送風手段７と、前記空気風路５に設けた脱臭フィルタ６と、前記脱臭フィルタ６の下部を貯留水に浸す水槽８とを備え、前記脱臭フィルタ６は、円筒形状にフィルタ濾材９を維持するフィルタ枠に前記フィルタ濾材９を巻装し、回転可能に軸支された中空円筒状を有し、前記フィルタ濾材９は、水膜が形成される格子を持つ構成を有することを特徴とすることで、複雑な機構がなくとも水に空気を通過させることのできる脱臭装置１を得ることができる。【選択図】図１
2016026522.tif 000002
【特許請求の範囲】
【請求項１】
吸込口と吹出口を設けた本体と、
前記本体内には、前記吸込口と吹出口を連通する空気風路と、
前記空気風路へ空気を流す送風手段と、
前記空気風路に設けた脱臭フィルタと、
前記脱臭フィルタの下部を貯留水に浸す水槽とを備え、
前記脱臭フィルタは、円筒形状のフィルタ濾材とフィルタ濾材を維持するフィルタ枠を有し、前記フィルタ枠で回転可能に軸支された中空円筒状を有し、
前記フィルタ濾材は、水膜が形成される格子を持つ脱臭装置。
【請求項２】
前記フィルタ濾材は、菱形の格子を有し、前記格子の対角線長の短い方を前記フィルタの円軌道と一致させて配置したことを特徴とする請求項１に記載の脱臭装置。
【請求項３】
前記フィルタ濾材の前記格子形状は、表側に突出する線材と裏側に突出する線材で形成し、菱形の対向する二辺を前記表側に突出する線材で形成し、残りの対向する二辺を前記裏側に突出する線材で形成したことを特徴とする請求項１または２に記載の脱臭装置。
【請求項４】
前記脱臭フィルタは、前記フィルタ濾材を形成する線材は種類を有し、前記フィルタ枠の側面上で共に斜め方向に配置し、前記フィルタ枠は、両側の円筒底面間でフィルタ濾材に張力をかける濾材押さえを備え、前記フィルタ濾材は、少なくとも両側で前記線材同士の交点を有し、前記濾材押さえによって前記交点を押さえることを特徴とする請求項１から３のいずれかに記載の脱臭装置。
【請求項５】
前記フィルタ枠は、前記フィルタ濾材の外周に配置したフィルタガイドと、前記円筒形状の底面を構成するフィルタ受け枠を備え、前記フィルタ濾材は、前記フィルタ枠の外周にフィルタガイドを挟んで多重に配置した請求項１記載の脱臭装置。
【請求項６】
前記フィルタ受け枠は、円板体で一方の面に同心円上に複数の溝を形成し、前記フィルタ濾材の端面に前記溝を冠着した請求項５記載の脱臭装置。
【請求項７】
前記フィルタガイドは、前記脱臭フィルタの軸方向に配置する第一突筋と、前記脱臭フィルタの端面において円周方向に配置する第二突筋を備え、前記フィルタ濾材の外側でこのフィルタ濾材を維持する請求項５記載の脱臭装置。
【発明の詳細な説明】
【技術分野】
【０００１】
本発明は、脱臭性能を高めた、空気清浄装置すなわち脱臭装置に関するものである。
【背景技術】
【０００２】
従来の、空気清浄装置の構成は、以下のようになっていた。
【０００３】
すなわち、空気清浄用の水を貯留するタンクと、該タンク内の水を揚水するポンプと、前記ポンプにより揚水された水を所定のメッシュサイズの網板に流下させる水流下器と、該水流下器からの水を前記タンクに戻す水回収機構と清浄される空気を送風するファンとを備えた構成となっていた。
【先行技術文献】
【特許文献】
【０００４】
【特許文献１】特開２００５−１８０８７６号公報
【発明の概要】
【発明が解決しようとする課題】
【０００５】
上記従来の空気清浄装置では、清浄する空気を前記水流下器により水を流下させた網板へ通過させて洗浄するため、水を循環させるためのポンプなどの複雑な機構が必要であるという課題があった。そこで本発明は、上記従来の課題を解決するものであり、複雑な機構がなくとも水に空気を通過させることのできる脱臭装置を提供することを目的とする。
【課題を解決するための手段】
【０００６】
そして、この目的を達成するために、本発明は、吸込口と吹出口を設けた本体と、
前記本体内には、前記吸込口と吹出口を連通する空気風路と、前記空気風路へ空気を流す送風手段と、前記空気風路に設けた脱臭フィルタと、前記脱臭フィルタの下部を貯留水に浸す水槽とを備え、前記脱臭フィルタは、前記脱臭フィルタは、円筒形状のフィルタ濾材とフィルタ濾材を維持するフィルタ枠を有し、前記フィルタ枠で回転可能に軸支された中空円筒状を有し、前記フィルタ濾材は、水膜が形成される格子を持つ構成を有することを特徴とするものであり、これにより所期の目的を達成するものである。
【発明の効果】
【０００７】
本発明によれば、吸込口と吹出口を設けた本体と、前記本体内には、前記吸込口と吹出口を連通する空気風路と、前記空気風路へ空気を流す送風手段と、前記空気風路に設けた脱臭フィルタと、前記脱臭フィルタの下部を貯留水に浸す水槽とを備え、前記脱臭フィルタは、円筒形状のフィルタ濾材とフィルタ濾材を維持するフィルタ枠を有し、前記フィルタ枠で回転可能に軸支された中空円筒状を有し、前記フィルタ濾材は、水膜が形成される格子を持つ構成を有することを特徴とするものであり、フィルタの回転と同時にフィルタ上の格子に形成される水膜を臭気成分が通り抜けることで脱臭ができるため、複雑な機構がなくとも脱臭を行うことができる。
【図面の簡単な説明】
【０００８】
【図１】本発明の実施の形態１の脱臭装置を示す概略断面図
【図２】本発明の実施の形態１の脱臭フィルタ枠を示す概略斜視図
【図３】本発明の実施の形態１の脱臭フィルタ上の水膜と格子を示す概略斜視図
【図４】本発明の実施の形態２の脱臭フィルタの菱形格子を示す概略斜視図
【図５】本発明の実施の形態３の脱臭フィルタの線材の種類を示す概略斜視図
【図６】本発明の実施の形態３の脱臭フィルタの隣接する格子を示す概略斜視図
【図７】本発明の実施の形態４の脱臭フィルタの線材と交点を示す概略斜視図
【図８】本発明の実施の形態４の脱臭フィルタの濾材押さえと張力方向を示す概略斜視図
【図９】本発明の実施の形態４の脱臭フィルタの二種類の線材が接続された交点を示す概略斜視図
【図１０】本発明の実施の形態４の脱臭フィルタとフィルタ枠の大きさを示す概略斜視図
【図１１】本発明の実施の形態５の脱臭フィルタ全体を示す概略図
【図１２】本発明の実施の形態５の脱臭フィルタ枠を示す概略図（（ａ）裏側を示す図、（ｂ）表側を示す図）
【図１３】本発明の実施の形態５の脱臭フィルタ枠にフィルタ濾材を取り付ける形状を示す図（（ａ）フィルタガイドの凹部と凸部を示す図、（ｂ）脱臭フィルタ枠にフィルタ濾材を取り付けた状態を示す概略側面図）
【図１４】本発明の実施の形態５のフィルタ濾材組を示す概略斜視図
【図１５】本発明の実施の形態５の脱臭フィルタの濾材押さえを示す概略斜視図（（ａ）一方の図、（ｂ）他方の図）
【発明を実施するための形態】
【０００９】
本発明の請求項１記載の脱臭装置は、  吸込口と吹出口を設けた本体と、前記本体内には、前記吸込口と吹出口を連通する空気風路と、前記空気風路へ空気を流す送風手段と、前記空気風路に設けた脱臭フィルタと、前記脱臭フィルタの下部を貯留水に浸す水槽とを備え、前記脱臭フィルタは、前記脱臭フィルタは、円筒形状のフィルタ濾材とフィルタ濾材を維持するフィルタ枠を有し、前記フィルタ枠で回転可能に軸支された中空円筒状を有し、前記フィルタ濾材は、水膜が形成される格子を持つ構成を有することを特徴とする。
【００１０】
これにより、水膜が形成される格子がフィルタ濾材全体に水膜を形成することにより、臭気成分が水膜を通過した際に水に溶け込み、脱臭を行う。特に、円筒形状で格子形状をしていることにより、円筒の側面を小区間に分割して、表面張力が働きやすく水膜を保持しやすくすることができる。また円筒形状のため水面から空気中に出る際に斜め方向に水面を撫でるように空気中へと移動するため、水膜が形成されやすい。
【００１１】
また、請求項２記載の脱臭装置は、前記フィルタ濾材は、菱形の格子を有し、前記格子の対角線長の短い方向を前記フィルタの円軌道上と一致させて配置したものである。
【００１２】
これにより、フィルタ濾材の各格子はそれぞれ最初に水面から離れた部分から、最後に水面から出る部分までの距離を短くし、各格子において格子が水面から離れるときに水膜の一部に重力が集中する時間を短くすることができ、格子に対する表面張力をいち早く均一にすることができ、水膜を確実に保持することができる。
【００１３】
また、請求項３記載の脱臭装置は、前記フィルタ濾材の前記格子形状は、表側に突出する線材と裏側に突出する線材で形成し、菱形の対向する二辺を前記表側に突出する線材で形成し、残りの対向する二辺を前記裏側に突出する線材で形成したものである。
【００１４】
これにより、回転の軸方向において隣同士に位置する格子は前記表側に突出する線材によって区画されることとなり、脱臭フィルタが水面から空気中に出る際に、隣り合った格子同士は影響を受けにくくなり、水膜を形成する際に格子上で水膜同士が互いに引力または斥力を受けることがなくなり、水膜が形成しやすくなる。
【００１５】
また、請求項４記載の脱臭装置は、前記脱臭フィルタは、前記フィルタ濾材を形成する線材は種類を有し、前記フィルタ枠の側面上で共に斜め方向に配置し、前記フィルタ枠は、両側の円筒底面間でフィルタ濾材に張力をかける濾材押さえを備え、前記フィルタ濾材は、少なくとも両側で前記線材同士の交点を有し、前記濾材押さえによって前記交点を押さえるものである。
【００１６】
これにより、フィルタ濾材は、表側の線材と裏側の線材の交点を有し、濾材押さえによってフィルタ濾材の交点を押さえるものであるのでフィルタ濾材の線材の片側一点に対して反対側は二点の線材で支えられていることとなり、ねじれとたわみが発生しにくく、格子形状が安定するため、水膜が壊れにくくなる。
【００１７】
また、請求項５記載の脱臭装置は、前記フィルタ枠は、前記フィルタ濾材の外周に配置したフィルタガイドと、前記円筒形状の底面を構成するフィルタ受け枠を備え、前記フィルタ濾材は、前記フィルタ枠の外周にフィルタガイドを挟んで多重に配置したものである。
【００１８】
これにより、複数枚のフィルタ濾材は間隔を空けて多重に配置することができるため、脱臭フィルタを通過する空気はより多くの水膜に接触させることができる。また、フィルタガイドの作用により、フィルタ濾材同士が接触して水膜を壊すことがなく、各フィルタが安定して水膜を形成することができる。
【００１９】
また、請求項６に記載の脱臭装置は、前記フィルタ受け枠は、円板体で一方の面に同心円上に複数の溝を形成し、前記フィルタ濾材の端面に前記溝を冠着したものである。
【００２０】
これにより、溝とフィルタ濾材の端面を合わせることで、円筒形状にしたフィルタ濾材とフィルタ受け枠を一体化することができ、脱臭フィルタの設置を容易に行うことができる。
【００２１】
また、請求項７に記載の脱臭装置は、前記フィルタガイドは、前記脱臭フィルタの軸方向に配置する第一突筋と、前記脱臭フィルタの端面において円周方向に配置する第二突筋を備え、前記フィルタ濾材の外側でこのフィルタ濾材を維持するものである。
【００２２】
これにより、円筒形状にしたフィルタ濾材はフィルタガイドによって形状を保つことができ、水膜を安定的に形成することができる。
【００２３】
以下、本発明の実施の形態について図面を参照しながら説明をする。
【００２４】
（実施の形態１）
図１に示すように、脱臭装置１の本体２側面上部には吸込口３、上部には吹出口４が設けられている。本体２内には、前記吸込口３と吹出口４を連通する空気風路５が形成され、この空気風路５に脱臭フィルタ６が配置され、前記空気風路５の脱臭フィルタ６と吹出口４間に空気を流す送風手段７が配置されている。
【００２５】
脱臭フィルタ６は、円筒形状であり、円筒底面が両側になるように水槽８に設置されている。図２に示すように脱臭フィルタ６は、円筒形状の側面に配置したフィルタ濾材９とこのフィルタ濾材９を円筒形状の側面の外周部に維持するフィルタ枠１０を備え、中空円筒形状を有するものである。フィルタ濾材９は、フィルタ枠１０に券装し円筒形状としても良い。
【００２６】
脱臭フィルタ６は、フィルタ枠１０で回転可能に軸支されている。
【００２７】
図３に示すようにフィルタ濾材９は、水中から空気中に移動する際に水膜１１が形成される格子１２を持つ。
【００２８】
前記格子１２は、四角形で構成され、四角形の対角線１３が円軌道１５上を回るように配置する。対角線１３が円軌道１５上を回るとは、脱臭フィルタ６が回転したときに格子１２の四角形の対向する頂点同じ円軌道１５上を通過することでもある。これにより、前記格子の最初に水面から離れる部分と最後に水面から離れる部分を前記四角形の頂点としたものである。
【００２９】
上記構成によれば、送風手段７によって吸込口３から吸込まれた臭気成分を含んだ空気を空気風路５内に設けた脱臭フィルタ６の水膜１１を通過し、脱臭した空気が吹出口４から放出される。
【００３０】
これにより、形成された水膜１１に臭気成分を含んだ空気が通過することで、臭気成分が水膜１１に溶け、複雑な機構を行わなくても脱臭が行われる。
【００３１】
特に、格子１２を四角形で構成し、四角形の対角線１３が円軌道１５上を回るように配置したので、格子１２の最初に水面から離れる部分と最後に水面から離れる部分は共に前記四角形の頂点となるため、水膜に与える衝撃が少なく、安定して水膜を形成することができる。
【００３２】
（実施の形態２）
以下に水膜を確実に形成するための構成を説明する。なお、理解を容易にするために、実施の形態１と同一の構成要件については、同一の符号を付し、その説明は省略する。
【００３３】
図４に示すように、フィルタ濾材９は、菱形の格子１４を有する。格子１２の前記菱形は、長さの異なる二本の対角線を有するものである。
【００３４】
前記菱形の格子１４の短い方の対角線１３の方向を脱臭フィルタ６の円軌道１５と一致させたものである。すなわち対角線１３が円軌道１５上を回るように配置したものである。
【００３５】
これにより、フィルタ濾材９の各格子は、菱形の対向する頂点部分をそれぞれ最初に水面から離れた部分から、最後に水面から出る部分までの距離を短く配置したものである。
【００３６】
また、水膜１１は対角線の長い方が１０ｍｍ以下であれば特に形成しやすい。
【００３７】
また、フィルタ濾材９の材質は、親水性である、または親水加工をしてあれば良く、セルロース等の紙や木質素材をコルゲート形状に加工したもの、絹・毛・綿・麻等の天然繊維、レーヨン・アセテート・トリアセテート等の合成繊維をコルゲート状にしたもの、吸水性のあるセラミックスハニカムなどを用いることができる。たとえば合成繊維ではポリエステル、アクリル、ナイロン、ビニロン、レーヨン、ポリノジック、キュプラ、アセテート、トリアセテート、プロミックスなどが挙げられる。天然繊維としては、絹、毛、綿、麻などが挙げられる。ポリ酢酸ビニル、ポリビニルアルコールスポンジ、ナイロンマイクロファイバーなどを用いても良い。セルロース等の紙や木質素材、絹・毛・綿・麻等の天然繊維、レーヨン・アセテート・トリアセテート等の合成繊維、吸水性のあるセラミックスを用いてもよい。
【００３８】
上記構成によれば、送風手段７によって吸込口３から吸込まれた臭気成分を含んだ空気を空気風路５内に設けた脱臭フィルタ６の水膜１１を通過し、脱臭した空気が吹出口４から放出される。これにより、形成された水膜１１に臭気成分を含んだ空気が通過することで、臭気成分が前記水膜１１に溶け、複雑な機構を行わなくても脱臭が行われる。
【００３９】
格子１２を四角形で構成し、四角形の対角線１３が円軌道１５上を回るように配置したので、前記格子１２の最初に水面から離れる部分と最後に水面から離れる部分は共に前記四角形の頂点となるため、水膜に与える衝撃が少なく、安定して水膜１１を形成することができる。
【００４０】
特に、菱形の格子１４の短い方の対角線１３の方向を脱臭フィルタ６の円軌道１５上と一致させることで、各格子において格子１２が水面から離れるときに水膜１１の一部に重力が集中する時間を短くすることができ、格子１２に対する表面張力をいち早く均一にすることができ、水膜１１を確実に保持することができる。
【００４１】
また、水膜１１は菱形の形状であれば対角線に短辺が生じ、最初に水面から離れた部分から、最後に水面から出る部分までの距離を短くできるため、前記格子１２の開口面積を大きくしても前記水膜１１が形成されやすいため、空気抵抗を抑えることができる。なお、図３に示した四角形の格子を正方形とし、目を細かくすれば、対角線を短くすることができるので、膜を形成しやすくすることができる。しかし、本実施の形態の菱形に比べると、空気抵抗が大きくなるため、長さの異なる二本の対角線を有する菱形の方が望ましい。
【００４２】
（実施の形態３）
以下に隣接する格子では水膜１１が形成されるときに互いに水膜１１間に引力または斥力が働く。本実施の形態では、それら水膜１１間に働く力の影響を抑えるための構成を説明する。なお、理解を容易にするために、実施の形態１、２と同一の構成要件については、同一の符号を付し、その説明は省略する。
【００４３】
図５に示すように前記フィルタ濾材９の前記格子１２の形状は、表側に突出する線材１６と裏側に突出する線材１７で形成されており、菱形の対向する二辺を前記表側に突出する線材１６で形成し、残りの対向する二辺を前記裏側に突出する線材１７で形成してある。
【００４４】
上記構成によれば、前記円軌道１５上において例えば図６に示す隣接する格子１８はフィルタ濾材９の表側においては、前記表側に突出する線材１６によって区画されることとなり、脱臭フィルタ６が水面から空気中に出る際に、隣接する格子１８同士は影響を受けにくくなり、前記水膜１１を形成する際に前記格子１２上で前記水膜１１同士が互いに引力または斥力を受けることがなくなり、前記水膜１１が形成しやすくなる。同様に、フィルタ濾材９の裏側においても、前記裏側に突出する線材１７によって区画されることとなり、脱臭フィルタ６が水面から空気中に出る際に、隣接する格子１８同士は影響を受けにくくなり、前記水膜１１を形成する際に前記格子１２上で前記水膜１１同士が互いに引力または斥力を受けることがなくなり、前記水膜１１が形成しやすくなる。特に表側に突出する線材１６と裏側に突出する線材１７は交差するものであるので、隣接する格子１８同士を異なる方向に区切ることとなり、水膜１１間に働く引力または斥力を遮ることが容易となる。
【００４５】
また線材の交点が、二重となる構造のため安定的に前記水膜１１を保持することができる。
【００４６】
そして、送風手段７によって吸込口３から吸込まれた臭気成分を含んだ空気を空気風路５内に設けた脱臭フィルタ６の水膜１１を通過し、脱臭した空気が吹出口４から放出される。これにより、形成された水膜１１に臭気成分を含んだ空気が通過することで、臭気成分が前記水膜１１に溶け、複雑な機構を行わなくても脱臭が行われる。
【００４７】
なお、本実施の形態では、図４を用いて菱形の格子１４を一例に説明をしたが、図３に示すように四角形の格子１２であっても同様の効果が得られる。
【００４８】
（実施の形態４）
以下にフィルタ枠１０に装着した格子１２の形状を安定させる構成を説明する。
【００４９】
図７に示すように脱臭フィルタ６のフィルタ濾材９を形成する線材は、左下がりの線材１９と右下がりの線材２０の種類を有し、前記フィルタ枠１０の側面上で共に斜め方向に配置する。フィルタ濾材９は、少なくとも両側で前記左下がりの線材１９と右下がりの線材２０同士が接続された交点２１を有している。
【００５０】
図８に示すようにフィルタ枠１０は、両側の円筒底面間でフィルタ濾材９に張力２２をかける濾材押さえ２３を備えている。濾材押さえ２３は、前記左下がりの線材１９と右下がりの線材２０の交点２１を押さえる構造となっている。
【００５１】
上記構成により、フィルタ濾材９は、濾材押さえ２３によってフィルタ濾材９の交点２１で押さえられるものであるので、前記左下がりの線材１９と右下がりの線材２０の二種類で二方向に押さえられる。すなわち、前記フィルタ濾材９の左右両端は、菱形または正方形の交点２１となっていることで、図９に示すようにフィルタ濾材９の線材の片側一点に対して反対側は二点の線材で支えられていることとなり、ねじれとたわみが発生しにくく、格子１２の形状が安定するため、水膜１１が壊れにくくなる。
【００５２】
本実施の形態では格子を形成する線材について二種類の線材が接続された交点２１を有するものとして説明をしたが、線材は同一平面に形成したものだけでなく、前記左下がりの線材１９と前記右下がりの線材２０に替えて実施の形態３の前記表側に突出する線材１６と前記裏側に突出する線材１７とで形成した脱臭フィルタ６でも同様の効果が得られる。この場合、右下がりの線材２０と左下がりの線材１９との関係を逆に対応づけても作用効果に相違はない。
【００５３】
また、図１０に示したように脱臭フィルタ６の交点２１間の長さ（  図１０のＬ１  ）が、フィルタ枠１０の濾材押さえ２３の内側間の長さ（図１０のＬ２）より寸法交差の範囲で長く形成することにより、濾材押さえ２３から円筒の底面間に円筒の軸方向押さえる張力２２を働かせることができるため、フィルタ濾材９がより安定した格子形状を保つことができる。
【００５４】
（実施の形態５）
以上のように、フィルタ濾材に安定して水膜を形成する技術について説明をした。本実施の形態では、脱臭フィルタにより多くの水膜を形成して空気を接触させる技術について説明をする。
【００５５】
以下に水膜の数を増加させる一例として、複数枚の脱臭フィルタ６を多重に設置する場合の構成を説明する。
【００５６】
実施の形態１の脱臭フィルタ６は、円筒形状の側面に配置したフィルタ濾材９とこのフィルタ濾材９を円筒形状の側面の外周部に維持するフィルタ枠１０を備え、中空円筒形状を有するものである。
【００５７】
本実施の形態では、脱臭フィルタ６は、図１１に示すように、実施の形態１のフィルタ枠１０に代えて、フィルタ濾材９の外周に配置したフィルタガイド２４と、脱臭フィルタ６の円筒形状の底面を構成するフィルタ受け枠２５を備えている。フィルタ受け枠２５は、実施の形態４の濾材押さえ２３に相当するものでもある。そして、フィルタ濾材９は、外周にフィルタガイド２４を挟んで多重に配置したものである。
【００５８】
図１２にフィルタガイド２４を示す。フィルタガイド２４は第一突筋２６と第二突筋２７で構成されている。
【００５９】
すなわち、フィルタガイド２４は、脱臭フィルタ６の軸方向に配置する第一突筋２６と、脱臭フィルタ６の端面において円周方向に配置する第二突筋２７を備え、フィルタ濾材９の外側でこのフィルタ濾材９を維持するものである。
【００６０】
フィルタガイド２４は、数箇所に凹部２８と凸部２９（個別の凹部、凸部を示す場合にはそれぞれａ〜ｆの符号を付して示す）が設置されている。図１３（ａ）に示すように凹部２８は凸部２９に対応したはめ込み形状となっている。例えば、図１２の凹部２８ａは凸部２９ａに対応している。以下ａ〜ｆの符号が同じ凹部と凸部が対応している。
【００６１】
フィルタ濾材９をフィルタガイド２４に設置したあと、図１２の点線部分で示す第二突筋２７の折り線３０を外側にして折りたたみ、凸部２９ａ〜２９ｆを凹部２８ａ〜２８ｆへはめ込むことにより、フィルタ濾材９がフィルタガイド２４に固定できる構造となっている。
【００６２】
図１３（ｂ）は脱臭フィルタ６をフィルタガイド２４に取り付け、凹部２８に凸部２９をはめ込み、脱臭フィルタ６をフィルタガイド２４に固定した状態の側面を示したものである。
【００６３】
図１４にフィルタ濾材９がフィルタガイド２４に固定されている状態を示す。フィルタ濾材９がフィルタガイド２４に固定させた状態では一端に突出部分３１が形成される構成となっている。
【００６４】
また、第一突筋２６の一端の裏面に凹部２８ｇ、２８ｈ、他端に凸部２９ｇ、２９ｈを備え、凸部２９ａ〜２９ｆを凹部２８ａ〜２８ｆへはめ込んだ後に、凸部２９ｇ、２９ｈを凹部２８ｇ、２８ｈへはめ込むことにより、図１４のようにフィルタ濾材組３６として円筒形状を保つ構成となっている。
【００６５】
図１５にフィルタ受け枠２５を示す。フィルタ受け枠２５は、円板体で一方の面の同心円上に複数の円形状の溝３２を形成し、フィルタ濾材９の端面３３に位置する第一突筋２６に円形状の溝３２を冠着したものである。
【００６６】
具体的には、図１５（ａ）に示すように、一方のフィルタ受け枠２５ａには、円形状の溝３２を複数個設けている。例えば、１つの溝を形成する際には、フィルタ受け枠２５ａには５ｍｍ程度の円形状の突出３４を形成し、円形状の突出３４を２つ組み合わせることにより、１つの円形状の溝３２を形成することができる。また、図１５（ｂ）に示すように、もう一方のフィルタ受け枠２５ｂの円形状の溝３２の複数個所には等間隔に受け部３５が構成されている。図１４に示すように円筒形状にしたフィルタ濾材９（フィルタ濾材組３６）の下部にある突出部分３１を、図１５のフィルタ受け部３５に差し込み設置することにより、フィルタ濾材９がフィルタ受け枠２５ｂへより確実に配置され、冠着される。つまり、フィルタ濾材９をフィルタ受け枠２５で両側から円筒の軸方向に押さえて張力を働かせることもできるものである。
【００６７】
そして、直径を異なるフィルタ濾材組３６を複数個作製し、各フィルタ濾材組３６の大きさに合った円形状の溝３２にはめ込んでいくことでフィルタ濾材９同士が第二突筋２７を挟んで間隔を保ちつつ、重ねることができる。これによりフィルタ濾材９同士が干渉し合うことがなくなり、各々のフィルタ濾材９がすべての目に水膜を保つことができるため、１枚のときよりも脱臭性能を格段に向上させることができる。
【００６８】
また、フィルタガイド２４はフィルタ濾材９の形状を保つ程度の硬度並びに、凹部２８ｇ、２８ｈに対して凸部２９ｇ、２９ｈをはめ込み、円筒形状にできるような軟度を合わせ持つことが必要である。これには、例えば、ポリエステルやＡＢＳなどが挙げられる。
【００６９】
以上のように、複数枚の脱臭フィルタ６を多重に設置することで、水膜の数を増加させることができ、脱臭フィルタ６を通過する空気はより多くの水膜に接触させることができる。また、フィルタガイド２４の作用により、フィルタ同士が接触して水膜を壊すことがなく、各フィルタ濾材９が安定して水膜を形成することができる。
【００７０】
円形状の溝３２フィルタ濾材９の端面３３を合わせることで、円筒形状にしたフィルタ濾材９とフィルタ受け枠２５を一体化することができ、脱臭フィルタ６として設置を容易に行うことができる。
【００７１】
また、フィルタガイド２４は、脱臭フィルタ６の軸方向に配置する第一突筋２６と、脱臭フィルタ６の端面３３において円周方向に配置する第二突筋２７を備え、フィルタ濾材９の外側でこのフィルタ濾材９を維持するものである、円筒形状にしたフィルタ濾材９はフィルタガイド２４によって形状を保つことができ、水膜を安定的に形成することができる。
【００７２】
また、実施の形態のフィルタ濾材９とフィルタガイド２４は別体で構成しているが、一体成型して構成しても良い。しかし、本実施の形態のように、フィルタ濾材９をフィルタガイド２４に設置するようにしたことで、フィルタ濾材９を取り外して、板状にしたうえで、さらに容易に清掃することができ、長期の使用において、性能を維持することのできる脱臭装置を提供することができる。
【産業上の利用可能性】
【００７３】
以上のように本発明は、吸込口と吹出口を設けた本体と、前記本体内には、前記吸込口と吹出口を連通する空気風路と、前記空気風路へ空気を流す送風手段と、前記空気風路に設けた脱臭フィルタと、前記脱臭フィルタの下部を貯留水に浸す水槽とを備え、前記脱臭フィルタは、円筒形状のフィルタ濾材とフィルタ濾材を維持するフィルタ枠を有し、前記フィルタ枠で回転可能に軸支された中空円筒状を有し、前記フィルタ濾材は、水膜が形成される格子を持つ構成を有するため、フィルタの回転と同時にフィルタ上の格子に形成される水膜を臭気成分が通り抜けることで脱臭ができる。
【００７４】
これにより複雑な機構がなくとも脱臭を行うことができる。したがって、脱臭装置として活用される。
【符号の説明】
【００７５】
１  脱臭装置
２  本体
３  吸込口
４  吹出口
５  空気風路
６  脱臭フィルタ
７  送風手段
８  水槽
９  フィルタ濾材
１０  フィルタ枠
１１  水膜
１２  格子
１３  対角線
１４  菱形の格子
１５  円軌道
１６  表側に突出する線材
１７  裏側に突出する線材
１８  隣接する格子
１９  左下がりの線材
２０  右下がりの線材
２１  交点
２２  張力
２３  濾材押さえ
２４  フィルタガイド
２５  フィルタ受け枠
２６  第一突筋
２７  第二突筋
２８  凹部
２８ａ〜ｈ  凹部
２９  凸部
２９ａ〜ｈ  凸部
３０  折り線
３１  突出部分
３２  円形状の溝
３３  端面
３４  円形状の突出
３５  受け部
３６  フィルタ濾材組
【図１】
2016026522.tif 000003
【図２】
2016026522.tif 000004
【図３】
2016026522.tif 000005
【図４】
2016026522.tif 000006
【図５】
2016026522.tif 000007
【図６】
2016026522.tif 000008
【図７】
2016026522.tif 000009
【図８】
2016026522.tif 000010
【図９】
2016026522.tif 000011
【図１０】
2016026522.tif 000012
【図１１】
2016026522.tif 000013
【図１２】
2016026522.tif 000014
【図１３】
2016026522.tif 000015
【図１４】
2016026522.tif 000016
【図１５】
2016026522.tif 000017